(57)【特許請求の範囲】
【請求項１】
洗濯槽兼脱水槽の下部に設けられ内部に同一軸線上に設けられた減速機構入力軸と脱水軸とを内蔵するとともに前記減速機構入力軸の回転数を減速して撹拌翼に伝達する減速機構を内蔵したギヤケースと、樹脂によりステータをモールド成型した外郭と、前記外郭の内部に設けられ前記ステータに対向させて磁石を配設し構成したロータと、スプリングクラッチと前記スプリングクラッチを解放駆動するクラッチ駆動手段からなり前記ロータの回転を前記減速機構入力軸および前記脱水軸と前記減速機構入力軸のみのいずれかに切り換えるクラッチ機構とを備え、前記ロータの回転軸と前記減速機構入力軸および脱水軸とは、同一軸線上に位置するように構成し、前記外郭は、カップ状に形成され、開口部を下にして樹脂で成型された底面を前記ギヤケースの底面に当てて前記開口部側よりリングまたは馬蹄形の板金部材を介して複数本のビスにて前記ギヤケースの底面に取り付けられるとともに、前記ロータは、底部を下にした有底円筒状に形成され、前記底部中央が前記減速機構入力軸の下端にねじを用いて取り付けられることで、前記外郭に対して回転可能に構成され、前記スプリングクラッチは、前記ロータの内部に設けた空間に位置し、前記クラッチ駆動手段は、前記外郭の外部に位置するように構成した洗濯機用駆動装置。
【請求項２】
外郭の上部にロータの回転数を検知する回転数検知装置を取り付け、前記回転数検知装置の少なくとも検知部を外郭内のロータの内周面に対向させて配置した請求項１記載の洗濯機用駆動装置。
【発明の詳細な説明】
【０００１】
【発明の属する技術分野】
本発明は、モータの回転数を減速する減速機構を内蔵したギヤケースを備えた洗濯機用駆動装置に関するものである。
【０００２】
【従来の技術】
従来、この種の駆動装置を備えた洗濯機は図４および図５に示すように構成していた。以下、その構成について説明する。
【０００３】
図４に示すように、洗濯機本体１は、内部に脱水振動を防振するように、サスペンション２によって懸架された水受け槽３を設け、水受け槽３内に洗濯兼脱水槽４を回転自在に配設し、この洗濯兼脱水槽４の内底部に洗濯物を撹拌する撹拌翼５を回転自在に配設している。
【０００４】
洗濯兼脱水槽４は、図５に示すように、水受け槽３の底部に設けた軸受６によって軸支されている脱水軸７と同一軸線上となるように、脱水軸７の上端部に固定され、撹拌翼５は、脱水軸７の中空部に脱水軸７と同軸上となるように配設し脱水軸７の中空部内に設けた軸受８によって軸支した洗濯軸９の上端部に固定されている。また、洗濯軸９の下端部は減速機構１０の出力側に接続されている。
【０００５】
モータブラケット１１は、カップ状に形成し開口部を下にして、減速機構１０を包含したギヤケース１２に取り付け、このモータブラケット１１の中にロータ１３に回転磁界を与えるステータ１４を圧入し、このステータ１４にロータ１３を対向させてモータ１５を構成し、減速機構１０とモータ１５とを同一軸線上に配設している。
【０００６】
ロータ１３は、有底円筒状のロータ部材１６に磁石１７を配設して構成し、ロータ部材１６の底部中央に嵌合穴１８を設けており、この嵌合穴１８に減速機構１０の減速機構入力軸１９を嵌合している。
【０００７】
クラッチ機構２０は、モータ１５の回転を脱水軸７、洗濯軸９のいずれかに切り換えるもので、ロータ１３の内部に設けた空間にスプリングクラッチ２０ａを設け、外部にスプリングクラッチ２０ａを駆動するクラッチ駆動手段２０ｂを設けている。
【０００８】
上記構成において動作を説明する。洗濯、すすぎ行程では、クラッチ機構２０のクラッチ駆動手段２０ｂはスプリングクラッチ２０ａを解放し、脱水軸７に回転力を伝達できない状態とする。モータ１５の動力は洗濯軸９を介して撹拌翼５に伝達されるのみとなり、洗濯兼脱水槽４内の被洗濯物に機械力を与える。こうして洗濯兼脱水槽４に収容している洗濯物の洗濯、すすぎが進行する。
【０００９】
洗濯行程を終了すると脱水行程に入り、この脱水行程では、洗濯兼脱水槽４内の水が排水され、クラッチ機構２０のクラッチ駆動手段２０ｂはスプリングクラッチ２０ａを駆動し、脱水軸７に回転力を伝達できる状態とする。モータ１５の動力は減速機構入力軸１９と脱水軸７とが連結され、洗濯兼脱水槽４が回転する。
【００１０】
洗濯兼脱水槽４が回転することによって、洗濯、すすぎを終了した洗濯物の水分は、遠心力によって洗濯兼脱水槽４の側面に多数設けている孔から水受け槽３内に絞り出される。こうして洗濯物は自動的に脱水される。このようにして、洗濯兼脱水槽４内に投入された洗濯物は、自動的に洗濯、すすぎ、脱水行程を終了する。
【００１１】
【発明が解決しようとする課題】
このような従来の構成では、モータ１５の回転が減速機構入力軸１９、減速機構１０を介して洗濯軸９に加わる構成の場合、モータ１５のコイルと減速機構入力軸１９の絶縁が十分でなく安全面に問題を有していた。
【００１２】
また、この解決策として、モータブラケット１１とギヤケース１２の接触面を絶縁するために、モータブラケット１１とギヤケース１２の接触面を樹脂モールドにて成形していた。しかしながらこの構成では、コイルに水がかかった場合などに、絶縁性の劣化を引き起こし、安全性が低下する支障をきたすという問題を有していた。
【００１３】
本発明は上記従来の課題を解決するもので、コイルと回転軸の絶縁を確保し、水の侵入による絶縁性の劣化を防止するとともに、モータを強固に取り付けるようにすることを目的としている。
【００１４】
【課題を解決するための手段】
本発明は上記目的を達成するために、内部に同一軸線上に設けられた減速機構入力軸と脱水軸とを内蔵するとともに減速機構入力軸の回転数をして撹拌翼に伝達減速する減速機構を内蔵したギヤケースを洗濯槽兼脱水槽の下部に設け、樹脂によりステータをモールド成型した外郭と、外郭の内部にステータに対向させて磁石を配設し構成したロータと、スプリングクラッチとスプリングクラッチを解放駆動するクラッチ駆動手段からなりロータの回転を減速機構入力軸および脱水軸と減速機構入力軸のみのいずれかに切り換えるクラッチ機構とを備え、ロータの回転軸と減速機構入力軸および脱水軸とは、同一軸線上に位置するように構成し、外郭は、カップ状に形成され、開口部を下にして樹脂で成型された底面をギヤケースの底面に当てて開口部側よりリングまたは馬蹄形の板金部材を介して複数本のビスにてギヤケースの底面に取り付けられるとともに、ロータは、底部を下にした有底円筒状に形成され、底部中央が減速機構入力軸の下端にねじを用いて取り付けられることで、外郭に対して回転可能に構成され、スプリングクラッチは、ロータの内部に設けた空間に位置し、クラッチ駆動手段は、外郭の外部に位置するように構成したものである。
【００１５】
これにより、コイルと回転軸の絶縁を確保でき、水の侵入による絶縁性の劣化を防止できるとともに、モータを強固に取り付けることができるとともに、高さ方向の高さを低くすることができる。
【００１６】
【発明の実施の形態】
本発明の請求項１に記載の発明は、洗濯槽兼脱水槽の下部に設けられ内部に同一軸線上に設けられた減速機構入力軸と脱水軸とを内蔵するとともに前記減速機構入力軸の回転数を減速して撹拌翼に伝達する減速機構を内蔵したギヤケースと、樹脂によりステータをモールド成型した外郭と、前記外郭の内部に設けられ前記ステータに対向させて磁石を配設し構成したロータと、スプリングクラッチと前記スプリングクラッチを解放駆動するクラッチ駆動手段からなり前記ロータの回転を前記減速機構入力軸および前記脱水軸と前記減速機構入力軸のみのいずれかに切り換えるクラッチ機構とを備え、前記ロータの回転軸と前記減速機構入力軸および脱水軸とは、同一軸線上に位置するように構成し、前記外郭は、カップ状に形成され、開口部を下にして樹脂で成型された底面を前記ギヤケースの底面に当てて前記開口部側よりリングまたは馬蹄形の板金部材を介して複数本のビスにて前記ギヤケースの底面に取り付けられるとともに、前記ロータは、底部を下にした有底円筒状に形成され、前記底部中央が前記減速機構入力軸の下端にねじを用いて取り付けられることで、前記外郭に対して回転可能に構成され、前記スプリングクラッチは、前記ロータの内部に設けた空間に位置し、前記クラッチ駆動手段は、前記外郭の外部に位置するように構成したものであり、コイルと回転軸の絶縁を確保でき、水の侵入による絶縁性の劣化を防止できて、安全性を向上することができ、さらに、モータをギヤケースに取り付ける際、樹脂により形成した外郭にリングまたは馬蹄形の板金部材を当てて、ビスを締着して取り付けることにより、ビス締着時の力で外郭の割れを防止することができ、モータを強固に取り付けることができるとともに、高さ方向の高さを低くすることができる。
【００１７】
請求項２に記載の発明は、上記請求項１に記載の発明において、外郭の上部にロータの回転数を検知する回転数検知装置を取り付け、前記回転数検知装置の少なくとも検知部を外郭内のロータの内周面に対向させた配置したものであり、回転数検知装置の少なくとも検知部をモータの外郭内に配置することにより、ギヤケースとの間の絶縁距離を確保することができ、安全性を確保することができる。
【００１８】
【実施例】
以下、本発明の実施例について、図面を参照にしながら説明する。なお、従来例と同じ構成のものは同一符号を付して説明を省略する。
【００１９】
（実施例１）
図１に示すように、外郭２１は、樹脂によりステータ２２をモールド成型してカップ状に形成し、ステータ２２にロータ２３を対向させてモータ２４を構成している。外郭２１の開口部を下にしてギヤケース１２とモータ２４とを同一軸線上に配置し、モータ２４をギヤケース１２に取り付けている。
【００２０】
このとき、外郭２１のギヤケース１２と接する面の反対側に、図２に示すように、馬蹄形の板金部材２５を当てて、ビス２６でモータ２４をギヤケース１２に取り付けている。
【００２１】
ロータ２３は、有底円筒状のロータ部材２７に磁石２８を配設して構成し、ロータ部材２７の底部中央に嵌合穴２９を設けており、この嵌合穴２９に減速機構１０の減速機構入力軸１９を嵌合している。他の構成は従来例と同じである。
【００２２】
上記構成において動作を説明する。洗濯、すすぎ行程では、クラッチ機構２０のクラッチ駆動手段２０ｂはスプリングクラッチ２０ａを解放し、脱水軸７に回転力を伝達できない状態とする。モータ２４の動力は洗濯軸９を介して撹拌翼５に伝達されるのみとなり、洗濯兼脱水槽４内の被洗濯物に機械力を与える。こうして洗濯兼脱水槽４に収容している洗濯物の洗濯、すすぎが進行する。
【００２３】
洗濯行程を終了すると脱水行程に入り、この脱水行程では、洗濯兼脱水槽４内の水が排水され、クラッチ機構２０のクラッチ駆動手段２０ｂはスプリングクラッチ２０ａを駆動し、脱水軸７に回転力を伝達できる状態とする。モータ２４の動力は減速機構入力軸１９と脱水軸７とが連結され、洗濯兼脱水槽４が回転する。
【００２４】
洗濯兼脱水槽４が回転することによって、洗濯、すすぎを終了した洗濯物の水分は、遠心力によって洗濯兼脱水槽４の側面に多数設けている孔から水受け槽３内に絞り出される。こうして洗濯物は自動的に脱水される。このようにして、洗濯兼脱水槽４内に投入された洗濯物は自動的に洗濯、すすぎ、脱水行程を終了する。
【００２５】
ここで、モータ２４は、樹脂によりステータ２２をモールド成型した外郭２１を有しているので、ロータ２３や減速機構入力軸１９との絶縁を確保することができ、さらに、外郭２１はカップ状に形成し、外郭２１の開口部を下にしてギヤケース１２とモータ２４とを同一軸線上に配置しているので、モータ２４内に水が侵入することがなく、水の侵入による絶縁性の劣化を防止できて、安全性を向上することができる。
【００２６】
さらに、モータ２４をギヤケース１２に取り付ける際、樹脂により形成した外郭２１に馬蹄形の板金部材２５を当てて、ビス２６を締着して取り付けているので、ビス２６の締着時にビス２６により局部的にかかる力を板金部材２５にて分散することができ、外郭２１を薄い肉厚にて形成した場合でも、外郭２１が割れるのを防止することができ、モータ２４を強固に取り付けることができる。また、外郭２１の肉厚を薄くできるため、コストを低減できるとともに、高さ方向の高さを低くすることができる。
【００２７】
なお、本実施例では、板金部材２５は馬蹄形に形成しているが、リング状であっても、同様の作用効果を得ることができる。
【００２８】
（実施例２）
図３に示すように、外郭２１ａは、樹脂によりステータ２２ａをモールド成型してカップ状に形成し、ステータ２２ａにロータ２３ａを対向させてモータ２４ａを構成している。外郭２１ａの開口部を下にしてギヤケース１２とモータ２４ａとを同一軸線上に配置し、モータ２４ａをギヤケース１２に取り付けている。
【００２９】
回転数検知装置３０は、モータ２４ａの回転数を検知するもので、モータ２４ａの上部に取り付け、ホールＩＣなどで構成した検知部３１をロータ２３ａに対向して設け、検知部３１をモータ２４ａの外郭２１ａ内に配置している。他の構成は上記実施例１と同じである。
【００３０】
上記構成において作用を説明すると、ホールＩＣなどで構成した検知部３１はロータ２３ａに対向させるため、リード部は上方向になり、かつリード部の長さが不安定になる。このため、検知部３１を含む回転数検知装置３０を樹脂でコーティングして覆い絶縁処理を施しても、リード部が露出する場合がある。
【００３１】
この場合でも、検知部３１をモータ２４ａの外郭２１ａ内に配置することにより、ギヤケース１２との間の絶縁距離を確保することができ、安全性を確保することができる。
【００３２】
【発明の効果】
以上のように本発明の請求項１に記載の発明によれば、洗濯槽兼脱水槽の下部に設けられ内部に同一軸線上に設けられた減速機構入力軸と脱水軸とを内蔵するとともに前記減速機構入力軸の回転数を減速して撹拌翼に伝達する減速機構を内蔵したギヤケースと、樹脂によりステータをモールド成型した外郭と、前記外郭の内部に設けられ前記ステータに対向させて磁石を配設し構成したロータと、スプリングクラッチと前記スプリングクラッチを解放駆動するクラッチ駆動手段からなり前記ロータの回転を前記減速機構入力軸および前記脱水軸と前記減速機構入力軸のみのいずれかに切り換えるクラッチ機構とを備え、前記ロータの回転軸と前記減速機構入力軸および脱水軸とは、同一軸線上に位置するように構成し、前記外郭は、カップ状に形成され、開口部を下にして樹脂で成型された底面を前記ギヤケースの底面に当てて前記開口部側よりリングまたは馬蹄形の板金部材を介して複数本のビスにて前記ギヤケースの底面に取り付けられるとともに、前記ロータは、底部を下にした有底円筒状に形成され、前記底部中央が前記減速機構入力軸の下端にねじを用いて取り付けられることで、前記外郭に対して回転可能に構成され、前記スプリングクラッチは、前記ロータの内部に設けた空間に位置し、前記クラッチ駆動手段は、前記外郭の外部に位置するように構成したから、コイルと回転軸の絶縁を確保でき、水の侵入による絶縁性の劣化を防止できて、安全性を向上することができ、さらに、モータをギヤケースに取り付ける際、樹脂により形成した外郭にリングまたは馬蹄形の板金部材を当てて、ビスを締着して取り付けることにより、ビスよりかかる部分的荷重を分散できるため、取付面の強度を増大することができ、ビス締着時の力で外郭の割れを防止することができ、モータを強固に取り付けることができるとともに、高さ方向の高さを低くすることができる。
【００３３】
また、請求項２に記載の発明によれば、外郭の上部にロータの回転数を検知する回転数検知装置を取り付け、前記回転数検知装置の少なくとも検知部を外郭内のロータの内周面に対向させた配置したから、回転数検知装置の少なくとも検知部をモータの外郭内に配置することにより、ギヤケースとの間の絶縁距離を確保することができ、安全性を確保することができる。
【図面の簡単な説明】
【図１】  本発明の第１の実施例の洗濯機用駆動装置の一部切欠した断面図
【図２】  同洗濯機用駆動装置の板金部材の下面図
【図３】  本発明の第２の実施例の洗濯機用駆動装置の一部切欠した断面図
【図４】  従来の洗濯機用駆動装置を備えた洗濯機の断面図
【図５】  同洗濯機用駆動装置の一部切欠した断面図
【符号の説明】
４    洗濯兼脱水槽
１０  減速機構
１２  ギヤケース
１９  減速機構入力軸
２１  外郭
２４  モータ
２５  板金部材
【図１】
0004296658.tif 000002
【図２】
0004296658.tif 000003
【図３】
0004296658.tif 000004
【図４】
0004296658.tif 000005
【図５】
0004296658.tif 000006